(57)【要約】  オープン・ショーテスト・パス・ファースト（ＯＳＰＦ）プロトコルに準拠した通信ネットワーク内で使用する為に適応化された通信ルータが提供される。前記通信ルータが、前記通信ルータ及び各隣接ネイバールータの間に伸びている少なくとも１つのリンクを介して、通信トラフィックを転送する為に設定される前記通信ルータのコストメトリックを自動的に調節するように構成された処理手段を有する。前記コストメトリックが、前記少なくとも１つのリンクに沿って前記各隣接ネイバールータからトラフィックを転送する為に前記各隣接ネイバールータにより決定されるコストに準拠して調節される。【選択図】図１
2021523643.tif 000002
【特許請求の範囲】
【請求項１】
オープン・ショーテスト・パス・ファースト（ＯＳＰＦ）プロトコルに準拠した通信ネットワーク内で使用する為に適応化された通信ルータであって、前記通信ルータが、前記通信ルータ及び各隣接ネイバールータの間に伸びている少なくとも１つのリンクを介して、通信トラフィックを転送する為の前記通信ルータのコストメトリックを自動的に調節するように構成された処理手段を有し、前記コストメトリックが、前記少なくとも１つのリンクに沿って前記各隣接ネイバールータからトラフィックを転送する為に前記各隣接ネイバールータにより決定されるコストに準拠して調節されることを特徴とする通信ルータ。
【請求項２】
前記各隣接ネイバールータの少なくとも１つにより転送されたリンク状態広告（ＬＳＡ）を受信するように構成され、前記通信ルータが少なくとも１つのリンクに沿った通信トラフィックを転送する為のコストメトリックを自動的に調節することを可能にする情報をリンク状態広告から取得することを特徴とする請求項１に記載の通信ルータ。
【請求項３】
前記各隣接ネイバールータ及び前記通信ルータは、単一の管理ドメインに属していないことを特徴とする請求項１に記載の通信ルータ。
【請求項４】
前記通信ルータが通信トラフィックを転送することに適応化されている複数のインタフェースを有し、前記複数のインタフェースのそれぞれが各リンクに関連付けされ、前記各リンクがリンク・アグリゲーション・グループ（ＬＡＧ）のメンバーであることを特徴とする請求項１に記載の通信ルータ。
【請求項５】
前記処理手段は、ＬＡＧにわたってＯＳＰＦ隣接性を形成するように適応化され、ＬＡＧのメンバーにより同じ属性が共有されることを特徴とする請求項４に記載の通信ルータ。
【請求項６】
少なくとも２つのネットワークドメインを有するシステムであって、前記少なくとも２つのネットワークドメインのそれぞれが、通信ルータを有し、ＯＳＰＦプロトコルを実装することにより相互に作用するように構成される前記システムにおいて、前記通信ルータの第１の通信ルータのコストメトリックにおいて変更が作用されると、前記コストメトリックは、前記第１の通信ルータに属するインタフェース及び第２の通信ルータに属する第２のインタフェースの間に伸びているリンクに沿ってトラフィックを転送する為の情報を提供するように適応化され、対応する変更が、前記第２の通信ルータに関連するコストメトリックにおいて自動的に作用されることを特徴とするシステム。
【請求項７】
前記第１の通信ルータがＩＳＰネットワークドメイン内に配置され、前記第２の通信ルータが顧客ネットワークドメイン内に配置され、前記第１の通信ルータは、ＯＳＰＦコスト・ミラーリング・メカニズムに準拠するように、前記第２の通信ルータに少なくとも１つのインタフェースを構成することを指示するように適応化され、それにより、前記第１の通信ルータ及び前記第２の通信ルータの間に伸びているリンクを介して前記第１の通信ルータにより通信トラフィックを転送する為のコストメトリックにおいて変更が発生すると、前記第２の通信ルータが、前記第１の通信ルータに関連するコストメトリックにおいて作用された変更に準拠するように、前記リンクを介して前記第２の通信ルータにより通信トラフィックを転送することに関連するコストメトリックを自動的に調節することを特徴とする請求項６に記載のシステム。
【請求項８】
前記第１の通信ルータがＩＳＰネットワークドメイン内に配置され、前記第２の通信ルータが他のＩＳＰネットワークドメイン内に配置され、前記第１の通信ルータは、ＯＳＰＦコスト・ミラーリング・メカニズムに準拠するように、前記第２の通信ルータに少なくとも１つのインタフェースを構成することを指示するように適応化され、それにより、前記第１の通信ルータ及び前記第２の通信ルータの間に伸びているリンクを介して前記第１の通信ルータにより通信トラフィックを転送する為のコストメトリックにおいて変更が発生すると、前記第２の通信ルータが、前記第１の通信ルータにより作用されたコストメトリックの変更に準拠するように、前記リンクを介して前記第２の通信ルータにより通信トラフィックを転送することに関連するコストメトリックを自動的に調節することを特徴とする請求項６に記載のシステム。
【請求項９】
ＯＳＰＦに準拠した通信ネットワーク内で使用されるコンピュータプログラム製品であって、
（１）ＯＳＰＦプロトコルを実装することに適応化した通信ルータを構成し、前記通信ルータ及び各隣接ネイバールータの間に伸びている少なくとも１つのリンクを介して前記通信ルータにより通信トラフィックを転送する為のコストメトリックを記憶するステップと、
（２）前記各隣接ネイバールータにより通信トラフィックを転送することに関連する情報を有するコストメトリックが変更されたという情報を受信すると、前記通信ルータのコストメトリックにおいてその変更が作用されるステップと、
を有する方法を実行する為に、１つ以上のコンピュータプロセッサにより１組の命令を実行する為の非一時的なコンピュータ可読媒体上に記憶されたコンピュータプログラムを符号化するように構成されることを特徴とするコンピュータプログラム製品。
【請求項１０】
前記各隣接ネイバールータ及び前記通信ルータは、単一の管理ドメインに属していないことを特徴とする請求項９に記載のコンピュータプログラム製品。
【請求項１１】
前記コンピュータプログラム製品がさらに、ａ）複数のインタフェースにわたってＯＳＰＦ隣接性を形成し、前記複数のインタフェースのそれぞれが各リンクに関連付けされ、前記各リンクがリンク・アグリゲーション・グループ（ＬＡＧ）のメンバーであり、（ｂ）ＬＡＧのメンバーにより同じ属性を共有することを可能にするように構成されることを特徴とする請求項９に記載のコンピュータプログラム製品。
【発明の詳細な説明】
【技術分野】
【０００１】
本開示は、包括的には、通信システムの分野に関する。詳しくは、本開示は、インターネットプロトコル（ＩＰ）通信ネットワーク内のオープン・ショーテスト・パス・ファースト（以下、ＯＳＰＦ）の実装に関する。
【背景技術】
【０００２】
用語
ＢＦＤ−双方向転送検出（Bi-Directional Forwarding Detection）
ＩＳＰ−インターネット・サービス・プロバイダ（Internet Service Provider）
ＬＡＧ−リンク・アグリゲーション・グループ（Link Aggregation Group）
ＬＳＡ−リンク状態広告（Link State Advertisement）
ＯＳＰＦ−オープン・ショーテスト・パス・ファースト（Open Shortest Path First）
【０００３】
コメント（ＲＦＣ）２３２８の為のＩＥＴＦ要求内に定義されるＯＳＰＦコスト割当である、ＯＳＰＦプロトコルは、各ルータインタフェースの出力側に関連するコストに基づいている。コストはシステム管理者により構成可能である。コストが低ければ低いほど、データトラフィックの転送にインタフェースが使用される可能性が高くなる。コストは外部に由来するルーティングデータ（例えば、ＢＧＰ学習ルート）にも関連付けられる。
【０００４】
ネイバーネットワーク素子は、リンク状態広告（ＬＳＡ）内のＯＳＰＦプロトコル交換ルーティング情報に準拠する。ＬＳＡは、ルータインタフェース、ネットワーク、同様に、外部プロトコルを実装する素子との接続、又はＯＳＰＦプロトコルを実装するネットワーク外の領域との接続に関する情報を含む。
【０００５】
ＬＳＡ１型（ルータＬＳＡ）は、インタフェース出力コストを含む、ルータインタフェース上の情報を含む。この情報は、リンク状態メトリックで表されるインタフェースを介してデータパケットを送信することに関連するコストを示している。
【０００６】
本発明は、先行技術において提案されているように、システム管理者により割り当てられた局所値を単に適用するのではなく、隣接ＯＳＰＦネイバー・インタフェース・コスト値に応じてＯＳＰＦインタフェース・コスト・メトリックを自動的に調節することにより利益を得られる様々なネットワーク展開の為のソリューションを提供しようとするものである。
【発明の概要】
【発明が解決しようとする課題】
【０００７】
本開示は、添付の特許請求の範囲を参照することによって要約できる。
【０００８】
本開示の目的は、隣接ＯＳＰＦネイバールータのインタフェースのコスト値に応じてルータＯＳＰＦインタフェース・コスト・メトリックを自動的に調節するルータ、システム及びソフトウェアを提供することである。
【０００９】
本開示の別の目的は、単一リンク及び／又はリンク群に対し、隣接ＯＳＰＦネイバールータのインタフェースのコスト値に応じてルータＯＳＰＦインタフェース・コスト・メトリックを自動的に調節するルータ、システム及びソフトウェアを提供することである。
【００１０】
本開示の他の目的は、以下の説明から明らかになる。
【課題を解決するための手段】
【００１１】
本開示の第１の実施形態によれば、ＯＳＰＦに準拠した通信ネットワーク内で使用する為の通信ルータであって、前記通信ルータが、前記通信ルータ及び各隣接ネイバールータの間に伸びている少なくとも１つのリンクを介して、前記通信ルータにより通信トラフィックを転送する為に設定される前記通信ルータのコストメトリックを自動的に調節するように構成された処理手段を有し、前記コストメトリックが、同じ少なくとも１つのリンクに沿って前記各隣接ネイバールータからトラフィックを転送する為に前記各隣接ネイバールータにより決定されるコストに準拠して調節されるように適応化されている通信ルータが提供される。
【００１２】
明細書及び特許請求の範囲を通して使用されている「コストメトリック」又は「コスト値」との用語は、宛先アドレス（例えば宛先ネットワーク）への最適な経路を決定する為に通信ルータにより使用される値を示す為に使用される。特定の通信リンクに沿ってトラフィックを搬送するコストは、特定の宛先への最適な経路を選択する為の要因の１つである。同じ経路型の宛先（例えばネットワーク）への複数の経路が存在する場合、帯域幅に基づくコストとして計算されるＯＳＰＦメトリックは、最適な経路を選択する為によく使用される。コストが最低値の経路が最適な経路として選択される。コスト計算は、例えば基準帯域幅である１００Ｍｂｐｓに基づいている。コストの計算式は、基準帯域幅／インタフェース帯域幅である。例えば、１０Ｍｂｐｓのイーサネット(登録商標)の場合、ＯＳＰＦメトリックコスト値は１００Ｍｂｐｓ／１０Ｍｂｐｓ＝１０である。ＯＳＰＦの規定の基準帯域幅は１００Ｍｂｐｓであり、規定のＯＳＰＦコスト計算式は、１００Ｍｂｐｓよりも速い帯域幅を有するインタフェース間を差別化しないものである。しかしながら、ＯＳＰＦの他の基準帯域幅、例えば１及び１０Ｇｂｐｓの基準帯域幅を使用することもできる。
【００１３】
明細書及び特許請求の範囲を通して使用されている「コストミラーリング」との用語は、本発明により提供されるソリューションにより実行されるアルゴリズムを示す為に使用され、通信リンクの一端に配置されたルータインタフェースにおいてコストメトリックが変更された場合、通信リンクの他端に配置されたインタフェースを備えたルータにおいても同じ変更が自動的に作用される。
【００１４】
本開示の別の実施形態によれば、前記通信ルータが、隣接ネイバールータの少なくとも１つにより転送されたリンク状態広告（ＬＳＡ）を受信するように構成され、前記通信ルータが少なくとも１つのリンクに沿って通信トラフィックを転送する為のコストメトリックを自動的に調節することを可能にする情報をリンク状態広告から取得する。
【００１５】
別の実施形態によれば、前記各隣接ネイバールータ及び前記通信ルータは、単一の管理ドメインに属していない。
【００１６】
明細書及び特許請求の範囲を通して使用されている「管理ドメイン」との用語は、セキュリティ・リポジトリを有し、顧客に認証情報を安全に認可及び認証するサービス・セキュリティ・プロバイダを含む為に使用される。管理ドメインは、単一の共通管理下に置かれるネットワーク及びデータベースの集合又はコンピュータのネットワークを含んでいる。
【００１７】
更に別の実施形態では、前記通信ルータが通信トラフィックを転送することに適応化されている複数のインタフェースを有し、前記複数のインタフェースのそれぞれが各リンクに関連付けされ、前記各リンクがリンク・アグリゲーション・グループ（ＬＡＧ）のメンバーである。
【００１８】
更に別の実施形態によれば、前記処理手段はさらに、ＬＡＧにわたってＯＳＰＦ隣接性(OSPF adjacency)を形成するように構成され、上述のように単一のインタフェース隣接性であるかのように、ＬＡＧのメンバーにより同じ属性が共有される。
【００１９】
本開示の別の側面によれば、少なくとも２つのネットワークドメインを有するシステムであって、前記少なくとも２つのネットワークドメインのそれぞれが、通信ルータを有し、ＯＳＰＦプロトコルを実装することにより相互に作用するように構成される前記システムにおいて、前記通信ルータの第１の通信ルータのコストメトリックにおいて変更が作用されると、前記コストメトリックは、前記第１の通信ルータに属するインタフェース及び第２の通信ルータに属する第２のインタフェースの間に伸びているリンクに沿ってトラフィックを転送する為の情報を提供するように適応化され、対応する変更が、前記第２の通信ルータに関連するコストメトリックにおいて自動的に作用されることを特徴とするシステムが提供される。
【００２０】
本開示のこの側面の別の実施形態によれば、前記第１の通信ルータがＩＳＰネットワークドメイン内に配置され、前記第２の通信ルータが顧客ネットワークドメイン内に配置される。好ましくは、前記第１の通信ルータは、ＯＳＰＦコスト・ミラーリング・メカニズムに準拠するように、前記第２の通信ルータに少なくとも１つのインタフェースを構成することを指示するように適応化され、それにより、前記第１の通信ルータ及び前記第２の通信ルータの間に伸びているリンクを介して前記第１の通信ルータにより通信トラフィックを転送する為のコストメトリックにおいて変更が発生すると、前記第２の通信ルータが、前記第１の通信ルータに関連するコストメトリックにおいて作用された変更に準拠するように、前記リンクを介して前記第２の通信ルータにより通信トラフィックを転送することに関連するコストメトリックを自動的に調節する。
【００２１】
本開示の別の側面によれば、ＯＳＰＦに準拠した通信ネットワーク内で使用されるコンピュータプログラム製品であって、
（１）ＯＳＰＦプロトコルを実装することに適応化した通信ルータを構成し、前記通信ルータ及び各隣接ネイバールータの間に伸びている少なくとも１つのリンクを介して前記通信ルータにより通信トラフィックを転送する為のコストメトリックを記憶するステップと、
（２）前記各隣接ネイバールータにより通信トラフィックを転送することに関連する情報を有するコストメトリックが変更されたという情報を受信すると、前記通信ルータのコストメトリックにおいてその変更が作用されるステップと、
を有する方法を実行する為に、１つ以上のコンピュータプロセッサにより１組の命令を実行する為の非一時的なコンピュータ可読媒体上に記憶されたコンピュータプログラムを符号化するように構成されるコンピュータプログラム製品が提供される。
【００２２】
更に別の実施形態によれば、前記各隣接ネイバールータ及び前記通信ルータは、単一の管理ドメインに属していない。
【００２３】
更に別の実施形態では、前記コンピュータプログラム製品がさらに、ａ）複数のインタフェースにわたってＯＳＰＦ隣接性を形成し、前記複数のインタフェースのそれぞれが各リンクに関連付けされ、前記各リンクがリンク・アグリゲーション・グループ（ＬＡＧ）のメンバーであり、（ｂ）ＬＡＧのメンバーにより同じ属性を共有することを可能にするように構成される。
【００２４】
添付の図面は、本明細書に組み込まれ、本明細書の一部を構成し、本開示の幾つかの実施形態を示し、以下の説明と共に、本明細書に開示される実施形態の原理を明らかにする。
【図面の簡単な説明】
【００２５】
【図１】相互接続リンクに関連する単一の物理的インタフェースをそれぞれが有する複数のプラットフォームにわたるＯＳＰＦプロトコルを使用することにより相互作用するＩＳＰドメイン及び顧客ネットワークドメインの実施例の概略図である。
【図２】相互接続リンクに関連するＬＡＧインタフェースを有する複数のプラットフォームにわたるＯＳＰＦプロトコルを使用することにより相互作用するＩＳＰドメイン及び顧客ネットワークドメインの他の実施例の概略図である。
【発明を実施するための形態】
【００２６】
以下の詳細な説明における特定の詳細及び値の一部は、本開示の特定の例を示している。但し、この説明は、例示的なものであり、本発明の範囲を限定することを意図するものではない。特許請求される方法及びデバイスは、当該技術分野で公知の他の方法を使用しても実施できることは、当業者にとって明らかである。更に、ここに開示する実施形態は、異なるステップを含むが、その全てが本発明の全ての実施形態において必要とされるわけではない。本発明の範囲は、添付の特許請求の範囲を参照することによって要約できる。
【００２７】
「ＯＳＰＦコストミラーリング」メカニズムとしてここで呼ばれている本願発明により開示されているメカニズムは、隣接ネイバーにより同じリンクに割り当てられるＯＳＰＦコストメトリックに準拠したインタフェースＯＳＰＦコストメトリックを自動的に設定するように構成されたメカニズムである。この機能は、好ましくは、隣接ＯＳＰＦネイバーから受信したＯＳＰＦ・ＬＳＡメッセージ（例えば、ＬＳＡ１型広告）をリッスンするネットワーク素子（例えば、ルータ）を有することにより達成される。ＯＳＰＦネイバールータＬＳＡをリッスンし、その後、ＬＳＡメッセージをリッスンしている間に取得した情報に準拠して自己（ローカル）ＯＳＰＦコストメトリックを変更する能力は、各リンクに基づいて構成可能な機能として適用することができる。当業者により認められているように、この機能は、標準コスト割当実行とは概念的に異なるものであり、これにより、構成可能な値が、ルータインタフェース毎に、システム管理者によりネットワーク素子のコストメトリックに割り当てられる。
【００２８】
インタフェースＯＳＰＦコストは、その出力方向のみにつき設定されるが、あるリンク上の両ネイバーの整合ＯＳＰＦコスト(matching OSPF cost)が有益になるシナリオもある。
【００２９】
同じ管理ドメインに属していないＯＳＰＦネイバーは、異なる自動管理システム又は手動の管理者により構成又は制御されやすい。同じリンク又は同じネットワークの両端において同じコストが要求されている場合、上述の従来技術の方法を実施することによりＯＳＰＦコスト構成のクロスドメイン割当を操作することは非常に面倒であり、従来技術では、特定リンク上の単一のルータを制御及び変更することを選択するインターネットサービスプロバイダ（ＩＳＰ）が、ネイバードメインも構成ＯＳＰＦコストに整合するように命令し、ネイバードメインが、同じＩＳＰ、他のＩＳＰ又は顧客内の構成であることができる。対比すると、本発明により提供されるソリューションは、ここに開示されているＯＳＰＦ隣接ベースのソリューションを実装している間、ネイバードメインとは関係なく、この目的を達成することを可能にする。
【００３０】
図１は、相互接続リンクの単一の物理的インタフェースを有する複数のプラットフォームにわたって実装されたＯＳＰＦプロトコルを使用することにより相互作用するＩＳＰドメイン及び顧客ネットワークドメインの実施例の概略図である。この実施例において、ＩＳＰ（Ｘ）がルータ（Ｂ）のインタフェース（ｂ２）上にＯＳＰＦコストミラーリングを構成することを選択すると仮定する。ここで、ルータ（Ａ）に関連するインタフェース（ａ２）のＯＳＰＦコストメトリックに変更が発生すると、その変更に整合するように、ルータ（Ｂ）はリンク（ｂ２）の為の独自のＯＳＰＦコストメトリックを自動的に変更する。
【００３１】
ＩＳＰ（Ｘ）は、ＯＳＰＦコストミラーリングに準拠するようにルータ（Ｃ）のインタフェース（ｃ１）を構成するように顧客（Ｚ）に命令することを選択することができる。したがって、ルータ（Ａ）のインタフェース（ａ１）に関連するＯＳＰＦコストメトリック割当において変更が発生した場合、ルータ（Ｃ）は結果的に、リンク（ｃ１）の為の独自のＯＳＰＦコストメトリックを自動的に変更する。
【００３２】
また、この図に図示されているＩＳＰ（Ｘ）は、ルータ（Ｄ）においてＯＳＰＦコストミラーリングポリシーを構成するようにＩＳＰ（Ｙ）に命令することを選択することができる。結果的に、ルータ（Ｂ）のインタフェース（ｂ１）に関連するＯＳＰＦコストメトリック割当において変更が発生した場合、ルータ（Ｄ）は結果的に、その変更に整合するように、リンク（ｄ１）の為の独自のＯＳＰＦコストメトリックを自動的に変更する。
【００３３】
ＬＡＧコストフォールバック
ルータは、単一の物理的インタフェースにわたって、又は単一のリンク・アグリゲーション・グループ（ＬＡＧ）内に結合された複数のインタフェースにわたって、ＯＳＰＦ隣接性を形成することができる。ＬＡＧにわたって形成されたＯＳＰＦ隣接性は、単一インタフェースの隣接性であるかのように、同じ属性を共有する。しかしながら、ＯＳＰＦ隣接性が存在する場所において物理的リンク障害が発生した場合、２つの隣接性のそれぞれの挙動は、他方の挙動とは異なってしまうことがある。単一の物理的インタフェースにわたるＯＳＰＦ隣接性の単一リンク障害の場合、ＯＳＰＦ隣接性は、即時、物理的信号の消失を検知した後、又はＢＦＤのような障害検出メカニズムによる障害検出後に、終了する。物理的リンク障害の場合、このリンクはＬＡＧに含まれるメンバーであり、ＯＳＰＦ隣接性は、（ソフトウェアの命令により論理的に、又はハードウェア故障により物理的に）同じＬＡＧ内の全てのメンバーがダウンしない限り、終了しない。インターネット・サービス・プロバイダ（ＩＳＰ）が、隣接ＯＳＰＦネイバーＬＡＧインタフェースの下流に配置されたＯＳＰＦネットワークに到達する複数の経路を有する場合、システム管理者は、ＬＡＧインタフェースのＯＳＰＦコストをより高い値に変更することを決定することができる。それにより、ＯＳＰＦ情報を共有するＩＳＰルータは、ショーテストパス計算(Shortest Path Calculation)（ＳＰＦ）を実行することができ、ネットワーク内に伸びている代替ルータ又はリンクを介して、下流のＯＳＰＦネットワークに到達する経路を最適化することができる。この構成は、ラグ・コスト・フォールバック(lag-cost-fallback)と呼ばれる。
【００３４】
図２を参照すると、ＩＳＰ（Ｘ）のルータ（Ｂ）は複数の経路を有し、複数の経路のそれぞれは、顧客（Ｚ）のネットワーク（Ｎ）にトラフィックを搬送する為に使用される。ネットワーク（Ｎ）に到達する最短経路がＢ（ｂ２）からＡ（ａ１）を介してＣ（ｃ３）まで伸びていると仮定する。ルータ（Ａ）のインタフェース（ａ１）のＯＳＰＦコストが更新された場合、ルータ（Ｂ）は、Ｂ（ｂ２）からＡ（ａ３）及びＥ（ｅ１）を介してＣ（ｃ３）まで伸びている代替経路を選択することができる。
【００３５】
しかしながら、いくつかのルータのソフトウェアは、ラグ・コスト・フォールバック・メカニズムをサポートしていないので、いくつかのサービスプロバイダ又は顧客はこの構成を作動することを拒否することになる。
【００３６】
図２に図示されているＩＳＰ（Ｘ）は、ルータ（Ｂ）のＯＳＰＦコスト・ミラーリング・メカニズム及びラグ・コスト・フォールバック・メカニズムに準拠するようにルータ（Ａ）を構成することを選択することができる。ａ２ＬＡＧインタフェースのメンバー障害が発生した場合、ルータ（Ａ）はリンクのＯＳＰＦコストを変更し、ルータ（Ｂ）は、ＯＳＰＦコストフォールバックを構成する必要なく、同じリンク（ｂ２）の独自のＯＳＰＦコストメトリックを自動的に変更する。
【００３７】
次に、図２に図示されている顧客（Ｚ）のルータ（Ｃ）が、ラグ・コスト・フォールバック構成をサポートしていないと仮定する。この場合、ＩＳＰ（Ｘ）は、ＯＳＰＦコスト・ミラーリング・メカニズムに準拠するように、ルータ（Ｃ）のリンク（ｃ１）を構成するように顧客（Ｚ）に命令することを選択することができる。ＬＡＧインタフェースのメンバー障害が発生した場合、ルータ（Ａ）はリンクのＯＳＰＦコストを変更し、ルータ（Ｃ）は、同じリンク（ｃ１）の独自のＯＳＰＦコストメトリックを変更することにより、自動的に追随する。
【００３８】
図２に図示されているＩＳＰ（Ｙ）ルータがラグ・コスト・フォールバック構成をサポートしていない場合、ＩＳＰ（Ｘ）は、ルータ（Ｄ）及び（Ｇ）のＯＳＰＦコスト・ミラーリング・メカニズムを構成するように、ＩＳＰ（Ｙ）に命令することを選択することができる。ｂ１ＬＡＧインタフェースのメンバー障害が発生した場合、ルータ（Ｂ）はリンクのＯＳＰＦコストを変更し、ルータ（Ｄ）は、同じリンク（ｄ１）の独自のＯＳＰＦコストメトリックを変更することにより、自動的に追随する。
【００３９】
ここに開示した発明の説明及び実施を検討することにより、本発明の他の実施形態は、当業者にとって明らかである。以上の説明及び実施例は、単なる例示であり、本発明の真の範囲及び思想は、特許請求の範囲に示されている。
【図１】
2021523643.tif 000003
【図２】
2021523643.tif 000004
【国際調査報告】
2021523643.tif 000005
2021523643.tif 000006
2021523643.tif 000007
2021523643.tif 000008